(57)【要約】【課題】  アマチュア無線機が、条件に合致するアマチュア無線信号を受信したことを、送信元等を特定可能にユーザが携帯するワイアレス装置で表示可能とする。【解決手段】  アマチュア無線通信を行うためのデジタル無線機本体１２とは別に、小型で携帯可能なワイアレス受信機１３を配置する。デジタル無線機本体１２は、受信したアマチュア無線信号のヘッダ部に格納されている送信元や送信先のコールサインを判別し、予め設定されている条件に合致する受信があったと判断すると、ワイアレス受信機１３に受信があったことを示す情報と送信元・送信先等のコールサインとをワイアレス受信機１３に無線送信する。ワイアレス受信機１３は、デジタル無線機本体１２から無線送信された情報を受信し、受信した情報に基づいて、デジタル無線機本体１２に受信があったことを示すメッセージと及び送信先・送信元のコールサインとを表示し、対応するビープ音を放音する。【選択図】図１
2006238351.tif 000002
【特許請求の範囲】
【請求項１】
アマチュア無線通信を行うデジタル無線機本体と、前記デジタル無線機本体がアマチュア無線信号を受信したことを報知するワイアレス装置と、から構成されるアマチュア無線システムであって、
前記デジタル無線機本体は、アマチュア無線信号を受信すると、前記ワイアレス装置に、アマチュア無線信号を受信したことを示す情報と、該アマチュア無線信号の送信元と送信先との少なくとも一方に対応する情報とを前記ワイアレス装置に送信する受信情報送信手段を備え、
前記ワイアレス装置は、前記受信情報送信手段から送信された情報を受信する受信手段と、受信手段で受信した情報に基づいて、前記デジタル無線機本体がアマチュア無線信号を受信したことと送信元と送信先の少なくとも一方に対応する情報とを報知する報知手段とを備える、
ことを特徴とするアマチュア無線システム。
【請求項２】
前記受信情報送信手段は、
前記ワイアレス装置に情報を送信する対象となる送信先又は送信元を特定する情報が登録された登録メモリを備え、
前記受信情報送信手段は、
受信したアマチュア無線信号の送信元及び／又は送信先が前記登録メモリに登録されているか否かを判別し、登録されていると判別した場合に、前記ワイアレス装置に情報を送信する、
ことを特徴とする請求項１に記載のアマチュア無線システム。
【請求項３】
前記登録メモリには、送信先又は送信元のコールサインが登録されており、
前記受信情報送信手段は、
受信したアマチュア無線信号の各通信パケットのヘッダ情報から、送信元のコールサイン及び／又は送信先のコールサインを判別し、送信元のコールサイン及び／又は送信先のコールサインが前記登録メモリに登録されているか否かを判別し、登録されていると判別した場合に、前記ワイアレス装置に情報を送信する、
ことを特徴とする請求項２に記載のアマチュア無線システム。
【請求項４】
前記ワイアレス装置の報知手段は、送信元のコールサイン又は送信先に対応する情報を表示する表示手段と、又は、送信元又は送信先に対応する音声信号を出力する放音手段と、を備える、
ことを特徴とする請求項１乃至３のいずれか１項に記載のアマチュア無線システム。
【請求項５】
前記デジタル無線機本体は、無線信号を送受信する通信部と、前記通信部に通信を介して接続されており且つユーザインタフェースを提供するヘッドユニットと、を備え、
前記受信情報送信手段は、前記通信部とヘッドユニットとの間の通信の内容を受信し、受信した該通信内容に基づいて、受信があったか否かを判別する手段とを備える、
ことを特徴とする請求項１乃至４のいずれか１項に記載のアマチュア無線システム。
【請求項６】
無線信号を送受信する通信部と、該通信部に通信を介して接続されたユーザインタフェース部を備え、前記通信部で受信された無線信号を出力し、前記通信部で送信する信号を入力するヘッドユニットとを備える無線通信システムに適用される受信報知装置であって、
前記通信部とヘッドユニットとの間の通信の内容を受信する手段と、
受信した該通信内容に基づいて、所定のアマチュア無線信号を受信したか否かを判別する手段と、
アマチュア無線信号を受信したと判断すると、アマチュア無線信号を受信したことを示す情報と、該アマチュア無線信号の送信元と送信先との少なくとも一方に対応する情報とを前記ワイアレス装置に送信する受信情報送信手段と、
を備えることを特徴とする受信報知装置。
【請求項７】
アマチュア無線通信を行うデジタル無線機がアマチュア無線信号を受信したことを報知するためのワイアレス装置であって、
デジタル無線機がアマチュア無線信号を受信したときに、該デジタル無線機から送信されて来るアマチュア無線信号を受信したことを示す情報と、該アマチュア無線信号の送信元と送信先との少なくとも一方に対応する情報とを受信する受信手段と、
受信手段で受信した情報に基づいて、前記デジタル無線機本体がアマチュア無線信号を受信したことと送信元と送信先の少なくとも一方に対応する情報とを報知する報知手段と、
を備える、ことを特徴とするワイアレス装置。
【請求項８】
コンピュータを、
デジタル無線機がアマチュア無線信号を受信したときに、アマチュア無線信号を受信したことを示す情報と、該アマチュア無線信号の送信元と送信先との少なくとも一方に対応する情報とを受信情報送信手段、
として機能させるためのコンピュータプログラム。
【請求項９】
コンピュータを、
デジタル無線機がアマチュア無線信号を受信したときに、該デジタル無線機から送信されて来るアマチュア無線信号を受信したことを示す情報と、該アマチュア無線信号の送信元と送信先との少なくとも一方に対応する情報と、を受信する受信手段、
受信手段で受信した情報に基づいて、前記デジタル無線機本体がアマチュア無線信号を受信したことと送信元と送信先の少なくとも一方に対応する情報とを報知する報知手段、
として機能させるためのコンピュータプログラム。
【発明の詳細な説明】
【技術分野】
【０００１】
本発明は、無線通信に関し、特に、アマチュア無線の受信時にその発信元などをワイアレス装置に出力することができる受信報知技術に関する。
【背景技術】
【０００２】
無線通信機を設置してアマチュア無線通信を行う場合、アナログアマチュア無線においてはその前でワッチしていなければ自分宛の呼び出しがあった場合に応答することが不可能であり、また、呼び出しそのものの存在も知ることができなかった。
【０００３】
一方、デジタルアマチュア無線では、宛先コールサイン及び送り元コールサインを示すデジタルデータがパケットヘッダに付加されており、コールサインの表示等が可能となった。しかし、通信を行う為には呼び出しをリアルタイムに認知する必要があり、やはり、無線機の前でのワッチが必要であった。
【０００４】
一般の通信分野に関しては、例えば、特許文献１には、コードレス電話機の親機と子機の間の無線通信を傍受して、親機に着信があったときや、子機に内線呼び出しがあったときに、呼出報知を行う呼出報知装置が開示されている。
特許文献２には、不特定の局からの無線電波が自局宛か否かを識別する技術が開示されている。
特許文献３には、固定電話でナンバーディスプレイの電話番号表示に関する技術が開示されている。
【特許文献１】特開平６−１８８８２７号公報
【特許文献２】特開平６−３０１１０号公報
【特許文献３】特開平１１−１３６３４４号公報
【発明の開示】
【発明が解決しようとする課題】
【０００５】
特許文献１に開示されている呼び出し報知装置は、電話回線に接続される親機と、親機に無線回線で接続された子機とから構成されるコードレス電話の無線通信を傍受して、所定の条件検出を行って、報知動作を行っている。報知動作は呼び出し音やＬＥＤの点滅等であり、呼出元情報は報知していない。従って、誰からの呼び出しであるのか判断することができない。また、外線着信と親機又は子機からの内線呼び出しを識別可能に呼び出すが、不特定多数からの呼び出しに対応できるものではない。
【０００６】
また、特許文献２に記載の報知システムは、不特定の局からの無線電波が自局宛か否かを識別するが、自局の呼び出しがあったことを子機などへ報知するものではない。
【０００７】
また、特許文献３に記載の電話システムは、発信元の電話番号を表示するが、交換機からの情報を電話機に表示するものであり、アマチュア無線に適用できるものではなく、電話機の前でワッチしていなければ、表示された電話番号を確認することはできない。
【０００８】
なお、アマチュア無線は、一般の通信とは異なり、自己宛だけでなく、第三者間の通話も受信及びモニタ可能であるという特徴を有している。従って、この特徴に適した受信報知技術が望まれる。
【０００９】
この発明は、上記実情に鑑みてなされたものであり、アマチュア無線通信において、アマチュア無線信号を受信したことや、受信したアマチュア無線信号に関する情報を容易に認識可能とすることを目的とする。
また、この発明は、アマチュア無線信号を受信したことを、送信元等を特定可能な態様でリモート（ワイアレス）装置で出力可能とすることを目的とする。
【課題を解決するための手段】
【００１０】
上記目的を達成するため、本発明の第１の観点に係るアマチュア無線システムは、
アマチュア無線通信を行うデジタル無線機本体と、前記デジタル無線機本体がアマチュア無線信号を受信したことを報知するワイアレス装置と、から構成されるアマチュア無線システムであって、
前記デジタル無線機本体は、アマチュア無線信号を受信すると、前記ワイアレス装置に、アマチュア無線信号を受信したことを示す情報と、該アマチュア無線信号の送信元と送信先との少なくとも一方に対応する情報とを前記ワイアレス装置に送信する受信情報送信手段を備え、
前記ワイアレス装置は、前記受信情報送信手段から送信された情報を受信する受信手段と、受信手段で受信した情報に基づいて、前記デジタル無線機本体がアマチュア無線信号を受信したことと送信元と送信先の少なくとも一方に対応する情報とを報知する報知手段とを備える、
ことを特徴とする。
【００１１】
例えば、前記受信情報送信手段は、前記ワイアレス装置に情報を送信する対象となる送信先又は送信元を特定する情報が登録された登録メモリを備え、
前記受信情報送信手段は、受信したアマチュア無線信号の送信元及び／又は送信先が前記登録メモリに登録されているか否かを判別し、登録されていると判別した場合に、前記ワイアレス装置に情報を送信する。
【００１２】
例えば、前記登録メモリには、送信先又は送信元のコールサインが登録される。この場合、前記受信情報送信手段は、受信したアマチュア無線信号の各通信パケットのヘッダ情報から、送信元のコールサイン及び／又は送信先のコールサインを判別し、送信元のコールサイン及び／又は送信先のコールサインが前記登録メモリに登録されているか否かを判別し、登録されていると判別した場合に、前記ワイアレス装置に情報を送信する。
【００１３】
前記ワイアレス装置の報知手段は、例えば、送信元のコールサイン又は送信先に対応する情報を表示する表示手段と、又は、送信元又は送信先に対応する音声信号を出力する放音手段と、を備える。
【００１４】
また、例えば、前記デジタル無線機本体は、無線信号を送受信する通信部と、前記通信部と通信により接続されたユーザインタフェースを提供するヘッドユニットと、を備え、受信情報送信手段は、前記通信部とヘッドユニットとの間の通信の内容を受信し、受信した該通信内容に基づいて、受信があったか否かを判別する手段とを備える。
【００１５】
また、この発明の第２の観点に係る受信報知装置は、
無線信号を送受信する通信部と、該通信部に通信を介して接続されたユーザインタフェース部を備え、前記通信部で受信された無線信号を出力し、前記通信部で送信する信号を入力するヘッドユニットとを備える無線通信システムに適用される受信報知装置であって、
前記通信部とヘッドユニットとの間の通信の内容を受信する手段と、
受信した該通信内容に基づいて、所定のアマチュア無線信号を受信したかを判別する手段と、
アマチュア無線信号を受信したと判断すると、アマチュア無線信号を受信したことを示す情報と、該アマチュア無線信号の送信元と送信先との少なくとも一方に対応する情報とを前記ワイアレス装置に送信する受信情報送信手段と、
を備えることを特徴とする。
【００１６】
また、この発明の第３の観点に係るワイアレス装置は、
アマチュア無線通信を行うデジタル無線機がアマチュア無線信号を受信したことを報知するためのワイアレス装置であって、
デジタル無線機がアマチュア無線信号を受信したときに、該デジタル無線機から送信されて来るアマチュア無線信号を受信したことを示す情報と、該アマチュア無線信号の送信元と送信先との少なくとも一方に対応する情報とを受信する受信手段と、
受信手段で受信した情報に基づいて、前記デジタル無線機本体がアマチュア無線信号を受信したことと送信元と送信先の少なくとも一方に対応する情報とを報知する報知手段と、
を備える、ことを特徴とする。
【００１７】
コンピュータ（マイクロプロセッサ等を含む）に、上述の無線通信機本体や呼出報知装置の全部又は一部として動作させるためのコンピュータプログラムを、任意の記録媒体に格納して配布したり、通信回線を介して伝送し、コンピュータにインストールして実行させるようにしてもよい。
【発明の効果】
【００１８】
上記構成によれば、例えば、アマチュア無線信号を受信したことや受信したアマチュア無線信号に関する情報をワイアレスで容易に認識することができ、呼び出しや受信に対して適切に対応することが可能となる。
【発明を実施するための最良の形態】
【００１９】
以下、本発明の実施の形態に係るアマチュア無線システムについて説明する。
このアマチュア無線システム１１は、図１に示すように、デジタル無線機本体１２とワイアレス受信機１３とから構成される。
このアマチュア無線システム１１は、デジタル無線機本体１２がアマチュア無線信号を受信すると、予め登録されている送信先宛或いは送信元からの信号であるか否かを判別し、登録されているものであれば、その情報をワイアレス受信機１３に伝達し、ワイアレス受信機１３で、送信先や送信元を特定できる形態で報知するシステムである。
【００２０】
デジタル無線機本体１２は、図２に示すように、コントローラ（制御部）２１と、送受切替部２２と、受信部２３と、インタフェース部２４と、送信部２５と、音声ＣＯＤＥＣ２６と、ＡＦ増幅器２７と、ワイアレス用送信部２８と、スピーカ２９と、マイク３０と、ヒューマンインタフェースユニット３１と、無線通信用アンテナ３２と、ワイアレス用アンテナ３３と、外部接続端子３４とを備える。
【００２１】
マイク３０は、送信用の音声を入力して、アナログ音声信号をＡＦ増幅器２７に出力する。
スピーカ２９は、ＡＦ増幅器２７からのアナログ音声信号に従って受信音声を放音する。
【００２２】
ＡＦ（Audio Frequency)増幅器２７は、マイク３０から入力されたアナログ音声信号を増幅して、音声ＣＯＤＥＣ２６に供給する。また、音声ＣＯＤＥＣ２６から供給された受信音声のアナログ音声信号を増幅して、スピーカ２９に出力する。
【００２３】
音声ＣＯＤＥＣ２６は、ＡＦ増幅器２７から供給されたアナログ音声信号をＡ／Ｄ（アナログデジタル）変換し、量子化（コード化）して送信部２５に出力する。また、音声ＣＯＤＥＣ２６は、受信部２３から供給されたデジタル音声データをデコードし、さらに、Ｄ／Ａ（デジタルアナログ）変換して、ＡＦ増幅器２７に出力する。
【００２４】
送信部２５は、音声ＣＯＤＥＣ２６から供給されたデジタル信号を、適当なサイズに分割し、さらに、無線通信用のヘッダを付して、送信パケットを生成し、この送信パケットを構成するディジタルデータ（ベースバンド信号）で搬送波を変調して、さらに、必要に応じて周波数変換を行って、送受切替部２２を介して、アンテナ３２から送信する。
【００２５】
送信部２５が生成する送信パケットは、基本的に図４（ａ）と（ｂ）に示すフレーム構成を有する。即ち、各通信フレームは、呼出先（送信先）のコールサイン、呼出元（送信元）のコールサインを含む無線ヘッダと実際の通信データとから構成される。通信データは、音声通信の場合には、図４（ａ）に示すように音声データ、データ通信の場合には、図４（ｂ）に示すように、宛先ＩＰアドレス、送信元ＩＰアドレス、通信データ等から構成される。
【００２６】
送受切替部２２は、送信部２５からの送信信号を無線通信用アンテナ３２に導き、無線通信用アンテナ３２の受信信号を受信部２３に導く。
【００２７】
受信部２３は、コントローラ２１からの指示に応答して受信周波数を切り替え、受信周波数に同調して増幅し、さらに、受信信号を復調して、図４（ａ）、（ｂ）に例示した通信フレームを再生（復調）する。そして、再生した通信フレームから無線ヘッダを除去して、音声データを音声ＣＯＤＥＣ２６に供給し、イーサネット（登録商標）パケットについては、インタフェース部２４に供給する。
【００２８】
インタフェース部２４は、外部接続端子３４に接続され、外部接続端子３４から供給される送信対象のイーサネット（登録商標）パケットを送信部２５に供給し、また、受信部２３から供給された受信イーサネット（登録商標）パケットを外部接続端子３４を介して外部装置（ＰＣ等）に供給する。
【００２９】
ワイアレス用送信部２８は、コントローラ２１の制御に従って、デジタル無線機本体１２がアマチュア無線信号（パケット）を受信したこと等を示す呼出信号を含むワイアレス呼出パケットを生成して、ワイアレス受信機１３に送信する。ワイアレス用送信部２８が送信するワイアレス呼出パケットは、例えば、図４（ｃ）に示す構成を有し、例えば、ワイアレス受信機のアドレス、受信報知コマンド、送信先コールサイン、送信元コールサインなどを含む。ワイアレス受信機のアドレスは、ワイアレス呼出パケットを送信する対象のワイアレス受信機１３のアドレスであり、例えば、電波が届く範囲に複数のワイアレス受信機１３が存在する場合などに、送信先を特定するための情報である。受信報知コマンドは、ワイアレス受信機１３に、デジタル無線機本体１２がアマチュア無線信号（パケット）を受信したことを、ワイアレス受信機１３に報知させるためのコマンドである。送信先コールサインは、デジタル無線機本体１２が受信したアマチュア無線信号の送信先のコールサインを示す。送信元コールサインは、デジタル無線機本体１２が受信したアマチュア無線信号の送信元のコールサインを示す。なお、ワイアレス呼出パケット（呼出信号）に含める情報の種類は、適宜設定可能である。
【００３０】
ワイアレス用送信部２８が使用する送信周波数は、無線通信用アンテナ３２を介して送受信されるアマチュア無線信号の周波数とは異なる周波数に設定されている。
【００３１】
コントローラ２１は、ＣＰＵ４１、ＣＰＵ４１の動作を規定するプログラムを記憶したＲＯＭ４２、ＣＰＵ４１のワークメモリとして機能するＲＡＭ４３などを備え、このデジタル無線機本体１２の動作を制御する。
【００３２】
ＲＯＭ４２に格納されるプログラムには、アマチュア無線信号を受信したときに、アマチュア無線信号を受信したこと及び呼出元のコールサインを示すデータを含む呼出信号をワイアレス用送信部２８を介してワイアレス受信機１３に送信するプログラムが含まれている。また、呼出信号を送信する条件を設定するためのプログラムも格納されている。
【００３３】
ＲＡＭ４３は、ＣＰＵ４１のワークメモリとして機能すると共に各種の設定情報を記憶する。ＲＡＭ４３の設定情報を格納する部分は、バックアップされた揮発性メモリ或いはフラッシュメモリ等から構成され、設定情報を不揮発で記憶するように構成されることが望ましい。
【００３４】
設定情報としては、例えば、ワイアレス受信機１３にワイアレス呼出信号を送信する条件の設定と、ワイアレス送信パケットに含める情報の種類を特定する情報等がある。設定情報の例を図５（ａ）〜（ｄ）に示す。
【００３５】
図５（ａ）の例は、デジタル無線機本体１２が、送信先が特定（ＪＰ９９ＱＱＺ）である音声パケットを受信したときに、送信元コールサインを情報として含むワイアレス呼出パケットを送信することを定義する設定情報の例である。
【００３６】
図５（ｂ）の例は、デジタル無線機本体１２が、音声パケットを受信したときに、送信元コールサインと送信先コールサインとを情報として含むワイアレス呼出パケットを送信することを定義する設定情報の例である。
【００３７】
図５（ｃ）の例は、デジタル無線機本体１２が、特定のコールサインを送信元（ＪＰ００ＹＹＡ）及び送信先（ＪＰ９９ＱＱＺ，ＪＰ８８ＫＫＰ...）とするアマチュア無線信号（パケット）を受信したときに、設定可能な全ての情報を含むワイアレス呼出パケットを送信することを定義する設定情報の例である。
【００３８】
図５（ｄ）の例は、デジタル無線機本体１２が、送信元が特定（ＪＰ００ＹＹＡ，ＪＰ６６ＷＷＣ）であるアマチュア無線信号（パケット）を受信したときに、送信元コールサインと送信先コールサインとを情報として含むワイアレス呼出パケットを送信することを定義する設定情報の例である。
【００３９】
なお、設定情報の内容は任意であり、その編集も既知の手法により可能である。例えば、ヒューマンインタフェースユニット３１を用いて一般のテキスト編集技術を用いて編集することも可能であるし、外部のコンピュータ等で編集したものを外部接続端子３４，インタフェース部２４を介してコントローラ２１に取り込んで、ＲＡＭ４３に設定するようにしてもよい。
【００４０】
また、ＲＡＭ４３に複数の設定情報が登録されてもよい。この場合には、いずれかの設定条件に合致する場合には、その条件に従って、ワイアレス呼出パケットが送信される。
【００４１】
ヒューマンインタフェースユニット（ヘッドユニット）３１は、操作部４４と表示モニタ４５とを備え、種々の情報をモニタに表示し、ユーザによる操作部４４の操作による様々な指示をコントローラ２１に入力し、また、コントローラ２１からの指示に基づいて種々の情報を表示モニタ４５に表示する。
【００４２】
図１に示すワイアレス受信機１３は、小型軽量で携帯容易に構成されており、図３に示すように、コントローラ５１と、ワイアレス受信部５２と、ビープ信号発生器５３と、スピーカ５４と、アンテナ５５と、ヒューマンインタフェース部５６と、オン・オフスイッチＳＷを備える。
【００４３】
ワイアレス受信部５２は、デジタル無線機本体１２からの呼出信号を受信・再生し、コントローラ５１に供給する。
ビープ信号発生器５３は、コントローラ５１の制御下に、種々のビープ信号を生成する。
オン・オフスイッチＳＷは、ビープ信号発生器５３をオン・オフする。
スピーカ５４は、ビープ信号発生器５３からのビープ信号を音声信号に変換して放音する。
【００４４】
ヒューマンインタフェース部５６は、操作部６４と表示部６５とを備える。操作部６４は、種々の入力・指示をコントローラ５１に入力する。表示部６５は、種々のデータを表示する。特に、デジタル無線機本体１２がアマチュア無線信号を受信したこと（呼び出しがあったこと）、及び、送信元や送信先のコールサインやニックネームを表示する。
【００４５】
コントローラ５１は、ＣＰＵ６１と、該ＣＰＵ６１の動作を規定するプログラムを規定するＲＯＭ６２とワークメモリとして機能するＲＡＭ６３とを備える。
【００４６】
ＲＯＭ６２が記憶するプログラムには、ワイアレス受信部５２を介してデジタル無線機本体１２から受信したワイアレス呼出信号に基づいて、表示部６５に受信があったこと及び送信先や送信元のコールサインを表示する動作、及びビープ信号発生器５３にビープ信号を発生させるプログラム等を含む。
【００４７】
また、バッテリバックアップされたＲＡＭ６３には、図６に示すように、操作部６４からの指示に従って生成された、送信元コールサインや送信先コールサインと、表示部６５に表示する表示名、ビープ音の種類とを対応付ける呼出テーブルを記録する。なお、ワイアレス呼出パケットに送信元コールサインと送信先コールサインとが共に含まれている場合には、予め設定した条件で、一方のコールサインを選択し、選択したコールサインに対応するビープ音を発生させればよい。
【００４８】
なお、呼出テーブルの内容は、操作部６４からの一般的な操作で編集可能である。また、外部のＰＣ等で編集した内容を取り込むようにしてもよい。
【００４９】
次に、上記構成のアマチュア無線システム１１の動作を説明する。
まず、デジタル無線機本体１２が、他のデジタル無線機本体１２を呼び出す（データを送信する）場合、ユーザは、従来と同様に、操作部４４を操作して、呼出先（送信先）のデジタル無線機本体１２に予め割り当てられているコールサインを指定して、呼び出し（送信）を指示する。
【００５０】
コントローラ２１は、入力内容を送信部２５に通知する。
送信部２５は、コントローラ２１の指示に従って、一般的な方法で、送信パケットを生成する。送信フレームは、図４（ａ）に示すように、呼び出し先（送信先）のデジタル無線機本体１２のコールサインと、呼出元（自己）のデジタル無線機本体１２のコールサインと、データを含む。
【００５１】
なお、外部コンピュータ等から、外部接続端子３４とインタフェース部２４を介して、データが送信部２５に供給された場合も同様に処理し、図４（ｂ）に例示するような送信パケット生成する。
送信部２５は、生成した送信パケットを、送受切替部２２及び無線通信用アンテナ３２を介して送信する。
【００５２】
この送信パケットが直接又はレピータを介してデジタル無線機本体１２に到達すると、この無線信号は、無線通信用アンテナ３２、送受切替部２２を介して受信部２３に供給される。受信部２３は、受信信号から受信パケットを復調する。受信部２３は、復調した受信パケットから無線ヘッダを除去し、データ部分をその内容に応じて音声ＣＯＤＥＣ２６又はインタフェース部２４に供給する。
また、受信部２３は、コントローラ２１に割込信号を供給すると共に復調した受信パケットをコントローラ２１に供給する。
【００５３】
コントローラ２１のＣＰＵ４１は、割込信号に応答して、図７に示すパケット受信処理を開始する。
ＣＰＵ４１は、まず、ＥＣＣ（Error Check Code)チェックなどにより、受信したパケットが有効なパケットであるか否かを判別する（ステップＳ１１）。有効でなければ、今回の処理を終了する。
有効なパケットであると判別した場合（ステップＳ１１；Ｙｅｓ）、受信データ（受信パケット）をＲＡＭ４３に展開する（ステップＳ１２）。
ＣＰＵ４１は、ＲＡＭ４３に展開した受信パケットの無線ヘッダを解析する（ステップＳ１３）。
【００５４】
ＣＰＵ４１は、解析に基づいて、今回受信したパケットの送信先コールサインや送信元コールサイン、データの種類が、ＲＡＭ４３に予め登録されているワイアレス呼出信号送信条件設定テーブル（図５）に登録されている条件に合致するか否かを判別する（ステップＳ１４）。
【００５５】
例えば、自機のコールサインが「ＪＰ９９ＱＱＺ」である場合に、図５（ａ）に示す条件設定テーブルがＲＡＭ４３に設定されているとすれば、ＣＰＵ４１は、受信パケットが音声パケットで、宛先が自己のコールサイン（ＪＰ９９ＱＱＺ）に一致するか否か、即ち、自己宛の音声パケットであるか否かを判別する。また、例えば、図５（ｂ）に示す条件設定テーブルがＲＡＭ４３に設定されているとすれば、ＣＰＵ４１は、受信した全ての音声パケットについて、条件に合致すると判断する。
【００５６】
受信したパケットの内容が設定条件に合致しない場合（ステップＳ１４；Ｎｏ）、今回のパケット受信処理（割込処理）を終了する。
【００５７】
一方、今回受信したパケットが設定条件に合致する場合（ステップＳ１４；Ｙｅｓ）、ＣＰＵ４１は、ワイアレス受信機１３に呼出内容等を伝えるためのワイアレス呼出パケットを生成する（ステップＳ１５）。このワイアレス呼出パケットに含まれる情報の種類は、ワイアレス呼出信号送信条件設定テーブルの設定に従う。例えば、図５（ｃ）、（ｄ）のテーブルが設定されている場合には、図４（ｃ）に示すように、ワイアレス受信機１３のアドレス、受信パケットの内容を報知するためのコマンド、送信元のコールサイン、送信先のコールサインなどを含む。同様に、例えば、図５（ａ）のテーブルが設定されている場合には、ワイアレス受信機１３のアドレス、受信パケットの内容を報知するためのコマンド、送信元のコールサインを含むが、送信先のコールサインは省かれる（送信先はＪＰ９９ＱＱＺに固定）。
【００５８】
続いて、図示せぬ電源回路を制御して、ワイアレス用送信部２８に電力の供給を開始して、ワイアレス用送信部２８を起動し（ステップＳ１６）、ワイアレス呼出パケットを供給して送信させる（ステップＳ１７）。所定回数送信処理を行うと、自動又はＣＰＵ４１の制御により、ワイアレス用送信部２８への電力の供給は再度停止する。
【００５９】
なお、ステップＳ１７に続いて、或いは、他の適当なタイミングで、ＣＰＵ４１は、ヒューマンインタフェースユニット３１の表示モニタ４５に、受信があったこと、送信先コールサイン、送信元コールサインなどを適宜表示する。表示内容は、ワイアレス受信機１３の表示内容と同一でもよい。
【００６０】
以上の工程により送信されたワイアレス呼出パケットは、ワイアレス受信機１３のアンテナ５５を介してワイアレス受信部５２に受信され、復調され、コントローラ５１に供給される。
【００６１】
一方、コントローラ５１のＣＰＵ６１は、電源がオンされている期間、図８に示す処理を行って、デジタル無線機本体１２からのワイアレス呼出パケットの受信を待機している。
【００６２】
ＣＰＵ６１は、ワイアレス受信部５２から受信パケットを受信し、それが有効なワイアレス呼出パケットであるか否かを判別する（ステップＳ２１）。パケットの受信がないか、あっても、有効なワイアレス呼出パケットでなければ（ステップＳ２１；Ｎｏ）、待機状態を継続する。
【００６３】
ＣＰＵ６１は、パケットの受信があって、それが、有効なワイアレス呼出パケットであると判別すると（ステップＳ２１；Ｙｅｓ）、受信したワイアレス呼出パケットをＲＡＭ６３に格納する（ステップＳ２２）。
【００６４】
続いて、ＣＰＵ６１は、格納したワイアレス呼出パケットを解析し（ステップＳ２３）、コールサイン情報等を表示する（ステップＳ２４）。即ち、ＲＡＭ６３に格納されているテーブル（図６）を参照して、表示名を読み出し、表示名を表示部６５に表示させる。表示内容は、テーブルの内容に従うが、例えば、登録されている任意の文字列（例えば、名前、名称、ニックネーム等）を優先し、登録が無い場合には、送信元のコールサインとする。なお、表示内容が複数該当する場合には、予め設定されている条件に従って、表示対象を適宜選択して表示する。また、受信したデータの種類（音声か、イーサネット（登録商標）パケットかの別）などを表示してもよい。
【００６５】
続いて、ビープ音がオンであるかオフであるか否かを判別し（ステップＳ２５）、オフであれば、ビープ音を放音しないで、ステップＳ２１に戻り、オンであれば、ビープ音を特定する（ステップＳ２６）。即ち、いずれのビープ音が指定されているかを判別し、ビープ音が指定されていれば、そのビープ音を特定し、ビープ音が指定されていなければ、デフォルトのビープ音を特定する。
【００６６】
続いて、ＣＰＵ６１は、ビープ信号発生器５３に指示して、特定したビープ音用のビープ信号を生成させる、これによりスピーカ５４から対応するビープ音が放音される（ステップＳ２７）。
【００６７】
例えば、ユーザは、表示部６５への表示及び／又はスピーカ５４からのビープ音により、アマチュア無線信号を受信したこと、及び送信元や送信先、データの種類などを認識し、必要があれば、デジタル無線機本体１２に戻り、通常の通信処理を開始する。
なお、ビープ音をミュートしたい場合は、オン・オフスイッチＳＷをオフすればよい。
以後の処理は、従来と同様である。
【００６８】
以上説明したようにこの実施の形態によれば、ユーザは、例えば、小型軽量省電力型のワイアレス受信機１３を携帯すれば、デジタル無線機本体１２に受信（パケットの受信）があったことを容易に認識できる。しかも、呼出元を認識することができ、以後の対応を適切に行うことができる。
なお、ワイアレス受信機１３の機能はデジタル無線機本体１２が設置型（固定型）の場合に特に有用であるが、デジタル無線機本体１２が可搬型である場合も、同様に有効である。
【００６９】
なお、この発明は上記実施の形態に限定されず、種々の変形及び応用が可能である。
例えば、図２の構成では、通常の無線通信を行う部分（通信部）とワイアレス受信機１３を呼び出す部分とが一体の構成となっているが、別個の構成とすることも可能である。
【００７０】
例えば、図９に示すように、デジタル無線機本体１２とヒューマンインタフェースユニット３１とが別体の構成である場合に、デジタル無線機本体１２がヒューマンインタフェースユニット３１に出力するデータを傍受し、これをワイアレス受信機１３に送信する構成とすることも可能である。
このような構成について説明する。
【００７１】
図９に示すワイアレスユニット７１は、図９に示すように、コントローラ８１と、ワイアレス送信部８２と、ラインインターフェースユニット８３と、ワイアレス用アンテナ８４とを備える。
【００７２】
ワイアレス用送信部８２とアンテナ８４とは、図２に示すワイアレス用送信部２８とワイアレス用アンテナ３３と、同一である。
ラインインタフェースユニット８３は、デジタル無線機本体１２からヒューマンインタフェースユニット３１に出力される表示データを傍受し、文字コードの体系から、コールサインを抽出し、コントローラ８１に供給する。
【００７３】
デジタル無線機本体１２からヒューマンインタフェースユニット３１に出力される表示データに含まれるコールサインは、設定内容に従った送信元や送信先のコールサインである。
【００７４】
ＣＰＵ９１は、供給されたコールサインから図４（ｃ）に例示したようなワイアレス呼出パケットを生成し、ワイアレス用送信部８２を介してワイアレス受信機１３に送信する。
【００７５】
ラインインタフェースユニット８３をデジタル無線機本体１２とヒューマンインタフェースユニット３１とを接続するラインに適切に接続するのは困難である。そこで、デジタル無線機本体１２に接続されるコネクタＴ１とヒューマンインタフェースユニット３１に接続するコネクタＴ２と、ラインインタフェースユニット８３に接続するコネクタＴ３とを取り付け、且つ、内部での結線を適切に施されたケーブルＣＡを用意しておけば、ユーザは、既存装置に容易にワイアレスユニット７１を取り付けることができる。
【００７６】
デジタル無線機本体１２とヒューマンインタフェースユニット３１とは、無線（光・電波）で接続されてもよい。この場合には、ラインインタフェースユニット８３は、デジタル無線機本体１２とヒューマンインタフェースユニット３１との間の通信を傍受して、上述と同様の処理を行えばよい。
【００７７】
上記実施の形態においては、送信元や送信先のデジタル無線機本体１２のコールサイン又はそれに割り当てられた名称を表示するようにしたが表示対象は任意である。
【００７８】
例えば、図１０に示すように、複数のレピータ１３１を回線１３２で接続して、１又は複数エリア（１台のレピータの無線通信範囲をエリアとする）１２１を１つのゾーンとして、さらに、各ゾーン１２２にゲートウエイ（ＧＷ）サーバ１３４を配置してインターネットＩＮに接続し、ｉ）各エリア１２１内でのデジタル無線機本体１３３同士の直接通信、ii)各エリア１２１内でのデジタル無線機本体１３３同士のレピータ１３１を介した通信、iii）同一ゾーン１２２内の異なるエリア１２１のデジタル無線機本体１３３同士のレピータ１３１と回線１３２を介した通信、 iv）異なるゾーン１２２のデジタル無線機本体１３３同士のＧＷサーバ１３４とインターネットＩＮを介した通信などを行う場合がある。このような通信を行う場合には、無線ヘッダには図１１に示すようなレピータのコールサイン等も含まれる。このような場合には、送信先や送信元のレピータのコールサイン等をあわせて表示するようにしてもよい。
【００７９】
また、上記実施の形態で例示したシステム構成、ハードウエア構成、動作等は、実質的に同一の機能を実現できるならば、任意に変更可能である。
例えば、ワイアレス受信機１３に、バイブレータやフラッシュライトを配置し、振動や閃光でアマチュア無線信号の受信を報知するようにしてもよい。
図４，図５に示す設定情報及びテーブル構成は一例に過ぎず、任意に変更修正可能である。
【００８０】
また、コンピュータに上記動作のいずれかを実行させるためのプログラムを記録媒体に記録して配布したり、ネットワークで配信したりしてもよい。このコンピュータプログラムは、コンピュータの記録媒体に記録され、インストールされる。
【図面の簡単な説明】
【００８１】
【図１】この発明の実施の形態に係るアマチュア無線システムの構成図である。
【図２】図１に示すデジタル無線機本体の構成を示すブロック図である。
【図３】図１に示すワイアレス受信機の構成を示すブロック図である。
【図４】（ａ）、（ｂ）は、デジタル無線機本体間で送受信されるパケットのフォーマットを示す図であり、（ｃ）は、デジタル無線機本体からワイアレス受信機に送られる呼出パケットのフォーマットを示す図である。
【図５】デジタル無線機本体に設定されるワイアレス呼出信号送信条件設定テーブルの例を示す図である。
【図６】ワイアレス受信機に格納されるコールサインと表示名（文字列）とビープ音との対応関係を定義する設定テーブルの例を示す図である。
【図７】デジタル無線機本体のＣＰＵが実行するパケット受信処理のフローチャートである。
【図８】ワイアレス受信機のＣＰＵが実行するワイアレスパケット受信処理のフローチャートである。
【図９】ワイアレスユニットが接続されたデジタル無線機本体の構成図である。
【図１０】無線通信ネットワークシステムの構成例を示す図である。
【図１１】図９のネットワークで送受信されるデータのフォーマット例を示す図である。
【符号の説明】
【００８２】
１１  アマチュア無線システム
１２  デジタル無線機本体
１３  ワイアレス受信機
【図１】
2006238351.tif 000003
【図２】
2006238351.tif 000004
【図３】
2006238351.tif 000005
【図４】
2006238351.tif 000006
【図５】
2006238351.tif 000007
【図６】
2006238351.tif 000008
【図７】
2006238351.tif 000009
【図８】
2006238351.tif 000010
【図９】
2006238351.tif 000011
【図１０】
2006238351.tif 000012
【図１１】
2006238351.tif 000013